(57)【要約】【課題】  ＥＦＭ信号に同期したパルスで照射パワーを正しくモニターでき、また、モニター用のフォトダイオードの出力が低下した場合にも照射パワーを正しくモニターできる情報記録装置等を提供する。【解決手段】  記録媒体上にレーザ光源からレーザ光を記録パルスとして照射すると共に、その記録パワーをモニターし、該モニター結果に基づいて予め設定した最適記録パワーと等しくなるように制御しつつ記録する情報記録装置において、記録パルスに基づいて方形波を生成する方形波生成手段（強制記録パルス設定部４０３）を備え、該方形波生成手段の生成した方形波が記録媒体（光ディスク２０８ａ）を照射中に、記録パワーのモニターを行う構成としてある。【選択図】図３
2006065952.tif 000002
【特許請求の範囲】
【請求項１】
記録媒体上にレーザ光源からレーザ光を記録パルスとして照射すると共に、その記録パワーをモニターし、該モニター結果に基づいて予め設定した最適記録パワーと等しくなるように制御しつつ記録する情報記録装置において、
前記記録パルスに基づいて方形波を生成する方形波生成手段を備え、
該方形波生成手段の生成した方形波が前記記録媒体を照射中に、記録パワーのモニターを行うことを特徴とする情報記録装置。
【請求項２】
請求項１記載の情報記録装置において、
前記記録パルスは複数のパワーレベル要素を加算して構築し、前記方形波生成手段が生成する方形波のパワーレベルは、前記加算構築したパワーレベル要素の総和であることを特徴とする情報記録装置。
【請求項３】
請求項1記載の情報記録装置において、
前記記録パルスは複数のパワーレベル要素を加算して構築し、前記方形波生成手段が生成する方形波のパワーレベルは、前記加算構築したパワーレベル要素の総和より小さいことを特徴とする情報記録装置。
【請求項４】
請求項１記載の情報記録装置において、
記録開始直後と記録開始から所定時間経過後のそれぞれに、２つの異なったレベルの駆動電流を前記レーザ光源に供給し、記録開始直後と所定時間経過後との間では、前記２つの駆動電流と前記モニター出力との相関関係に傾きが生じた場合には、前記駆動電流を補正することにより、前記傾きを記録開始直後の傾きに補正する傾き補正手段と
を備えたことを特徴とする情報記録装置。
【請求項５】
記録媒体上にレーザ光源からレーザ光を記録パルスとして照射すると共に、その記録パワーをモニターし、該モニター結果に基づいて予め設定した最適記録パワーと等しくなるように制御しつつ記録する情報記録方法において、
前記記録パルスに基づいて方形波を生成し、該生成した方形波が前記記録媒体を照射中に、記録パワーのモニターを行うようにしたことを特徴とする情報記録方法。
【請求項６】
請求項５記載の情報記録方法において、
記録開始直後と記録開始から所定時間経過後のそれぞれに、２つの異なったレベルの駆動電流をレーザ光源に供給し、記録開始直後と所定時間経過後との間では、前記２つの駆動電流とモニター出力との相関関係に傾きが生じた場合には、前記駆動電流を補正することにより、前記傾きを記録開始直後の傾きに補正するようにしたことを特徴とする情報記録方法。
【発明の詳細な説明】
【技術分野】
【０００１】
本発明は、情報記録装置および情報記録方法に関し、特に、ＥＦＭ信号に同期したパルスで照射パワーを正しくモニターでき、また、モニター用のフォトダイオードの出力が低下した場合にも照射パワーを正しくモニターできる情報記録装置および情報記録方法に関する。
【背景技術】
【０００２】
情報記録再生装置として、光ディスクを媒体として記録再生する装置が低価格で実用化されるようになってきた。とりわけ、光ディスクの一種のＤＶＤは、大容量記録媒体としてコンピュータ機器のストレージから家庭用ビデオレコーダまで幅広い用途に用いられるようになってきた。
今後は、ＤＶＤの用途の拡大に伴って記録速度の向上が求められ、高倍速化が急速に進むと考えられる。
【０００３】
光ディスクへの記録時には、媒体（光ディスク）上へパルス化したレーザを照射してピットを形成させている。ピット形成のためのパルス幅は、倍速に比例して小さくなる。例えば、ＤＶＤ−Ｒでは３Ｔ〜１１Ｔ及び１４Ｔ（Ｔはチャネルクロック）のパルス幅の組み合わせで記録を行っているが、チャネルクロックは等倍速で２６ＭＨｚ程度であり、記録パルス幅は１１４〜５４０ｎｓ程度である。また、８倍速ではチャネルクロックが２０８ＭＨｚとなり、記録パルス幅は１４〜６８ｎｓと小さくなる。
【０００４】
他方で、高倍速で記録を行う場合、媒体に最適なピットを形成させるための記録パルス幅の設定を精度よく行うことが求められるようになってきている。例えば、記録パルスの種類としては、オーバドライブ、マルチ及びキャッスル等複雑化している。
【０００５】
また、同じ種類の記録パルスであっても、最適なパルス幅は媒体に依存している。以下、その媒体に最適な記録パルスの種類及び固有のパルス幅を、ライトストラテジと称する。
情報記録再生装置では、記録する媒体に応じて最適なライトストラテジを選択または生成し、記録品質を保証しようとしている。
【０００６】
一方、最適な記録パワーの設定も精度が求められる。情報記録再生装置は、前記媒体固有のライトストラテジを用いて、記録前にＯＰＣ（Optimum Power Calibration）を行うことで、最適な記録パワーを決定する。
【０００７】
ところが、半導体レーザを光源とする光情報記録再生装置では、温度によって照射パワーが変化してしまう特性をもつ。このため光情報記録再生装置の中には、記録中に照射パワーを監視し、常に最適パワーに保つ機能を有するタイプのものがある。このタイプの装置は、記録中の照射パワーをモニターするためのフォトダイオードを備えているが、照射パワーを正しくモニターできる帯域には限りがあり、特に、高倍速化によって減少するパルス幅や多様化する記録パルスで照射されるパワーを正確にモニターすることが困難になってきている。
【０００８】
この問題に対応するために、記録波形のスペースの期間に、照射パワーをモニターすることができる任意のパルスを意図的に発生させ、適切なパワーをモニターすることを実現している提案がある（例えば、特許文献１参照）。
【特許文献１】特開２００１−２３１７３号公報
【発明の開示】
【発明が解決しようとする課題】
【０００９】
しかしながら、前記特許文献１では、記録する二値化信号（以下、ＥＦＭ（Ｅight to Ｆourteen Ｍodulation）信号と呼ぶ）に同期しないパルスを発生させる必要があるため、回路構成が複雑化するという問題点がある。
また、モニターするフォトダイオードの出力特性が低下する場合には、正しくパワーをモニター及び補正できないケースがあるため、更なる改良が必要である。
【００１０】
本発明は上記の問題を解決すべくなされたものであり、ＥＦＭ信号に同期したパルスで照射パワーを正しくモニターでき、また、モニター用のフォトダイオードの出力が低下した場合にも照射パワーを正しくモニターできる情報記録装置および情報記録方法の提供を目的とする。
【課題を解決するための手段】
【００１１】
この目的を達成するために請求項１記載の発明は、記録媒体上にレーザ光源からレーザ光を記録パルスとして照射すると共に、その記録パワーをモニターし、該モニター結果に基づいて予め設定した最適記録パワーと等しくなるように制御しつつ記録する情報記録装置において、
前記記録パルスに基づいて方形波を生成する方形波生成手段（図３の強制記録パルス設定部４０３）を備え、
該方形波生成手段の生成した方形波が前記記録媒体（図１の光ディスク２０８ａ）を照射中に、記録パワーのモニターを行う構成としてある。
【００１２】
以上の構成および作用を図示すると、例えば、図１，図３，図７（Ａ）〜（Ｃ），図９（Ａ），（Ｂ）に示すようになる。そして、図９（Ａ）に示したＤＶＤ＋Ｒ用の記録パルスＫＰ１〜ＫＰ６のうち、図９（Ｂ）に示すように、例えば記録パルスＫＰ５のみを、方形波生成手段（図３の強制記録パルス設定部４０３）により方形波として生成する。
【００１３】
このようにすれば、生成した方形波は一定のパワーレベルを持っているので、モニターする時間が長くなり、高倍速化によってパルス幅が減少しても、また、記録パルスが多様化しても、照射パワーを正しくモニターできる。
【００１４】
また、請求項２記載の発明は、請求項１記載の情報記録装置において、
前記記録パルスは複数のパワーレベル要素を加算して構築し（図７（Ａ）の記録パルス波形）、前記方形波生成手段が生成する方形波のパワーレベルは、前記加算構築したパワーレベル要素の総和（例えば、図７（Ｂ）のＰｗ１）である構成としてある。
【００１５】
以上の構成および作用を図示すると、例えば図３、図７（Ａ），（Ｂ）に示すようになる。このようにした理由は、次の通りである。
すなわち、方形波のパワーレベルを得るには、原理的にはＤＡＣ（図３参照）の設定値を変えれば、所望のパワーレベルを得ることができる。しかし、ＤＡＣの設定値を変え所望のパワーレベルを得るには、ミリ秒（ｍＳ）単位の時間を要するので、２つの連続した記録パルス間の短い時間（ナノ秒（ｎＳ））に、ＤＡＣの出力を変えるのは不可能である。そこで、既存のパワーレベルを使用すれば、ナノ秒（ｎＳ）単位で所望のパワーレベルを得ることができる。
また、複数のパワーレベル要素の総和としているので、図７（Ｂ）に示すように、高いパワーレベルを得ることができる。
【００１６】
また、請求項３記載の発明は、請求項1記載の情報記録装置において、
前記記録パルスは複数のパワーレベル要素を加算して構築し、前記方形波生成手段が生成する方形波のパワーレベルは、前記加算構築したパワーレベル要素の総和より小さい（例えば、図７（Ｃ）のＰｗｂ）構成としてある。
【００１７】
以上の構成および作用を図示すると、例えば図１、図３、図７（Ａ），（Ｃ）に示すようになる。このようにすれば、請求項２の場合と同じくナノ秒単位で所望のパワーレベルを得ることができる。
また、加算構築したパワーレベル要素の総和より小さいパワーレベルとしているので、例えば、図７（Ｃ）に示すように、低いパワーレベルを得ることができる。
【００１８】
また、請求項４記載の発明は、請求項１記載の情報記録装置において、
記録開始直後と記録開始から所定時間経過後のそれぞれに、２つの異なったレベルの駆動電流を前記レーザ光源に供給し、記録開始直後と所定時間経過後との間では、前記２つの駆動電流と前記モニター出力との相関関係に傾きが生じた場合には、前記駆動電流を補正することにより、前記傾きを記録開始直後の傾きに補正する傾き補正手段（図３のＶＲ４１６）とを備えた構成としてある。
【００１９】
以上の構成および作用を図示すると、例えば図１，図３，図１０，図１１に示すようになる。
レーザ発光レベルの低下により、前方モニタフォトダイオー２０７（図１参照）の出力が変化し、照射パワーを正しくモニターすることが不可能になる場合がある。かかる場合には、ＬＤドライバー２０５への電流供給を補正し、前方モニタフォトダイオー２０７の発光レベルを補正し、照射パワーを正しくモニターすることが可能なようにする。
【００２０】
レーザ発光レベルが低下した場合には、図１１の１００３に示すように、前方モニターフォトダイオードの出力特性に「傾き」が生じる。この「傾き」を１００２に示すように、補正する。
そこで、傾き補正手段により、ＬＤドライバー２０５への供給電流を補正し、１００３の状態から、１００２の状態になるようにできるので、照射パワーを正しくモニターすることが可能となる。
【００２１】
なお、図１１に示すように、前方モニタフォトダイオーの出力特性（傾き）を明確に把握するためには、モニターする駆動電流の二点には、ある程度のパワーレベル差が必要である。請求項２記載の発明によれば、図７（Ｂ）に示した高いパワーレベル（Ｐｗ１）を得ることができ、また、請求項３記載の発明によれば、図７（Ｃ）に示した低いパワーレベル（Ｐｗｂ）を得ることができる。
よって、請求項２と請求項３にそれぞれ記載の発明を利用すれば、モニターする二点のパワーレベルの差を大きくとれるので、請求項４記載の発明において、前方モニタフォトダイオーの出力特性を正確に把握できる。
【００２２】
また、請求項５記載の発明は、記録媒体上にレーザ光源からレーザ光を記録パルスとして照射すると共に、その記録パワーをモニターし、該モニター結果に基づいて予め設定した最適記録パワーと等しくなるように制御しつつ記録する情報記録方法において、
前記記録パルスに基づいて方形波を生成し、該生成した方形波が前記記録媒体を照射中に、記録パワーのモニターを行うようにした方法としてある。
【００２３】
このようにすれば、生成した方形波は一定のパワーレベルを持っているので、モニターする時間が長くなり、高倍速化によってパルス幅が減少しても、また、記録パルスが多様化しても、照射パワーを正しくモニターできる。
【００２４】
また、請求項６記載の発明は、請求項５記載の情報記録方法において、
記録開始直後と記録開始から所定時間経過後のそれぞれに、２つの異なったレベルの駆動電流をレーザ光源に供給し、記録開始直後と所定時間経過後との間では、前記２つの駆動電流とモニター出力との相関関係に傾きが生じた場合には、前記駆動電流を補正することにより、前記傾きを記録開始直後の傾きに補正するようにした方法としてある。
【００２５】
このようにすれば、図１１の１００３に示すように、前方モニターフォトダイオードの出力特性に「傾き」が生じた場合に、１００２に示すように、補正することができるので、照射パワーを正しくモニターすることが可能となる。
【発明の効果】
【００２６】
請求項１記載の発明によれば、生成した方形波は一定のパワーレベルを持っているので、モニターする時間が長くなり、高倍速化によってパルス幅が減少しても、また、記録パルスが多様化しても、照射パワーを正しくモニターできる。
【００２７】
請求項２記載の発明によれば、既存のパワーレベルを使用することが可能なので、極めて短い時間内に（ナノ秒内に）所望のパワーレベルを得ることができる。また、複数のパワーレベル要素の総和としているので、図７（Ｂ）に示すように、高いパワーレベルを得ることができる。
【００２８】
請求項３記載の発明によれば、請求項２記載の発明と同様に、極めて短い時間内に（ナノ秒（ｎＳ）内に）所望のパワーレベルを得ることができる。また、加算構築したパワーレベル要素の総和より小さいパワーレベルとしているので、例えば、図７（Ｃ）に示すように、低いパワーレベルを得ることができる。
【００２９】
請求項４記載の発明によれば、レーザ発光レベルが低下した場合には、図１１の１００３に示すように、前方モニターフォトダイオードの出力特性に「傾き」が生じるが、この「傾き」を傾き補正手段により、１００２に示すように、補正することができるので、照射パワーを正しくモニターすることが可能となる。
【００３０】
請求項５記載の発明によれば、生成した方形波は一定のパワーレベルを持っているので、モニターする時間が長くなり、高倍速化によってパルス幅が減少しても、また、記録パルスが多様化しても、照射パワーを正しくモニターできる。
【００３１】
請求項６記載の発明によれば、図１１の１００３に示すように、前方モニターフォトダイオードの出力特性に「傾き」が生じた場合に、１００２に示すように、補正することができるので、照射パワーを正しくモニターすることが可能となる。
【発明を実施するための最良の形態】
【００３２】
以下、本発明の実施の形態を、図面に基づいて説明する。
図１は、本発明の実施形態である情報記録再生装置のブロック図である。
【００３３】
図１において、２０８は光ディスクとディスクマウント部を示し、マウントされたディスク２０８ａは、スピンドルモータ２０３により回転駆動される。２０１はレンズ，レーザダイオードを含む光学系である。光ピックアップは光学系２０１以外に、対物レンズを動作させるアクチュエータ２０２、プリアンプ内蔵フォトダイオード集積回路（以下、ＯＥＩＣと称する）２０６、前方モニターフォトダイオード２０７、ＬＤドライバ２０５等で構成され、ピックアップの移動はスレッジモータ２０４を用いて行う。２２７は、装置全体の制御を行うＭＰＵである。
【００３４】
ＯＥＩＣ２０６で電流‐電圧変換された受光信号は、マトリックスアンプ２０９にて信号処理され、フォーカス/トラック信号処理部２１０及びウォブル信号処理部２１１の入力信号となる。フォーカス/トラック信号処理部２１０で生成されたフォーカスエラー信号及びトラックエラー信号から、サーボ制御部２１５はフォーカシングサーボ，トラッキングサーボが安定するようにアクチュエータ/モータドライバ２１２でアクチュエータ及びモータを駆動する。
【００３５】
ウォブル信号処理部２１１で生成されたウォブル信号は、アドレスデコーダ２１７でデジタル処理されて位置情報となる。また、記録クロック発生部２１８は、入力されたウォブルの周波数から回転速度に適合した記録クロックを生成する。
【００３６】
次に、ユーザデータ再生時の情報記録再生装置の動作を説明する。
マトリックスアンプ２０９で生成されたＲＦ信号が、イコライザ２１４にて波形等価された後、スライサ２２１及びＰＬＬ（２２２）で二値化信号にかわり、デコーダ２２３で復調されてユーザデータが生成され、ＤＲＡＭ２２４を介してホストインターフエース２１６により、上位装置に転送される。
【００３７】
また、ユーザデータ記録時は、ホストインターフェース２１６によってＤＲＡＭ２２４に受信されたユーザデータが、エンコーダ２２５により変調された後、ＥＦＭ生成部２２６により二値化信号に変えられ、記録パルス発生部２１９で二値化信号のパターンに応じた記録パルスとなる。
生成された記録パルスは、パワー制御部２２０で制御された電流と共に、ＬＤドライバ２０５に送られて、所望のタイミング及びパワーのレーザ発光にて媒体（光ディスク２０８ａ）上に二値データを記録する。
【００３８】
なお、レーザ発光は、温度等の環境変化により影響を受けやすいため、パワー制御部２２０の出力パワーは、出力パワー処理部２１３で微調整される。
【００３９】
次に、記録パルスの例を、図２を用いて説明する。図２（Ａ）は記録するＥＦＭ信号であり、図では記録クロックの６倍の長さのマークと呼ばれる期間を示している。以下、記録クロックをチャネルクロック、チャネルクロックの単位をＴと称し、前記の６倍の記録クロックを６Ｔと称する。
【００４０】
図２（Ｂ）は、ＤＶＤ＋Ｒと呼ばれる光不可逆性色素膜を用いた光ディスクに対して、６Ｔマークを記録する場合の記録パルスの例である。ＥＦＭ期間に４値のパワーレベルを用いたパルス波形を構築している。
図２（Ｃ）は、ＤＶＤ+ＲＷと呼ばれる層変化膜を用いた光ディスクに対して、６Ｔマークを記録する場合の記録パルスの例である。
ＤＶＤ+ＲＷでは、細かい幅で３値のパワーレベルに応じてパルス幅を変化させている。
【００４１】
図３に、図１に示した記録パルス発生部２１９とパワー制御部２２０の詳細構成を示す。
図３に示すように、記録パターン認識部４０１は、ＥＦＭ生成部２２６（図１参照）から入力されたＥＦＭ信号のパターンを認識する。ストラテジメモリ４０２は、認識したパターンに応じた記録パルスを発生させるためのパラメータが格納されたメモリである。
【００４２】
通常は、タイミング生成部４０４で、前記認識されたパターンに適合したストラテジメモリ４０２の設定（パラメータ）を読み出し、この設定に基づいて、ストラテジ信号生成部４０５でライトストラテジと呼ばれる記録パルスが構築される（後述する図７（Ａ）参照）。
タイミング生成部４０４は、同時にパターンに応じた高周波重畳のタイミング信号及びサンプルホールドタイミング信号を生成することができ、それぞれＨＦＥＮ信号４０６、ＳＨＭＯＮ信号４０７として出力される。
【００４３】
強制記録パルス設定部４０３は、ストラテジメモリ４０２に格納されたパラメータに関わらず、強制的に任意の記録パルスを設定するブロックである。強制記録パルス設定部４０３に設定がある場合、タイミング生成部４０４は、ストラテジに依存しない強制パルスを任意の期間出力するタイミング信号を生成することができる（後述する図７（Ｂ），（Ｃ）参照）。強制的なパルス設定は、前述の高周波重畳及びサンプルホールドタイミングにも作用する。
【００４４】
ストラテジ信号生成部４０５は、６つのスイッチ４０８を出力／非出力と切り替える機能を持つ。６つのスイッチＴｂ，Ｔｃ，Ｔｅ，Ｔｗ１，Ｔｗ２，Ｔｗ３は、それぞれパワー制御部２２０の６つのＤＡＣ０〜ＤＡＣ５（ＤＡＣ：Digital Analog Converter：Ｄ／Ａ変換器）の出力に作用する。
【００４５】
６つのＤＡＣ０〜ＤＡＣ５は、出力電流を決定する機能を持ち、ＤＡＣ０（４１０），ＤＡＣ１（４１１），ＤＡＣ２（４１２），ＤＡＣ３（４１３），ＤＡＣ４（４１４），ＤＡＣ５（４１５）からなる。ＤＡＣ０〜ＤＡＣ５の出力は、ＶＲ（４１６）（ＶＲ：Variable Resistance：可変抵抗器）による電源４１７の出力制御により、変化する。
【００４６】
電流合成部４０９は、６つの電流を総和する。つまり、出力されるライトストラテジは、６つのＤＡＣ（４１０〜４１５）の出力がストラテジ信号生成部４０５により細かくオン・オフをされることで生成される。
【００４７】
図４（Ａ），（Ｂ）に、ストラテジ信号生成部４０５が生成する記録パルスと、記録パルスの構成要素となるパワーレベルを分析した図を示す。
図４（Ａ）は、実際に発光する記録パルスである。パワーレベルはＰｗ１（５０１），Ｐｗ２（５０２），Ｐｅｒ（５０３），Ｐｃｌ（５０４）の４レベルが、実際の発光レベルに相当する。
【００４８】
図４（Ｂ）は、図４（Ａ）の記録パルスを構成する要素パワーである。Ｔｗ１（５０５），Ｔｗ２（５０６），Ｔｗｂ（５０７），Ｔｅｒ（５０８），Ｔｃｌ（５０９）の５つの要素の和で、図４（Ａ）の記録パルスを構成する。５つの要素の出力タイミングは、図３のストラテジ信号生成部４０５のスイッチ４０８により制御される。
【００４９】
図５及び図６に、強制記録パルス設定部４０３（図３参照）が生成する強制記録パルスの模式図と、強制記録パルス生成時のハードウェアレジスタの設定を示す。
【００５０】
図５（Ａ）は、ストラテジメモリ４０２の設定通りに生成した記録パルスである。記録パルスは、６０１〜６０５の要素パワーの合成で生成される。図５（Ａ）の記録パルスは、強制記録パルス設定部４０３の制御により、図５（Ｂ）のように変更することができる。
図５（Ｃ）は、強制記録パルス設定部４０３におけるハードウェアレジスタ（図示省略）の設定を示す表である。
【００５１】
以下に、ハードウェアレジスタ設定の意味を述べる。
Ｆｏｒｃｅ（６０６）は、強制記録パルス設定部４０３の有効／無効のビット設定である。Ｆｏｒｃｅ（６０６）が１の場合、強制記録パルス設定が有効となる。
Ｔｗ１（６０７）は、要素パワーレベルＴｗ１の出力／非出力のビット設定である。Ｔｗ１（６０７）が、１で出力することを示す。
【００５２】
Ｔｗ２（６０８）は、要素パワーレベルＴｗ２の出力／非出力のビット設定である。Ｔｗ２（６０８）が、1で出力することを示す。
Ｔｗｂ（６０９）は、要素パワーレベルＴｗｂの出力／非出力のビット設定である。Ｔｗｂ（６０９）が、1で出力することを示す。
Ｔｅｒ（６１０）は、要素パワーレベルＴｅｒの出力／非出力のビット設定である。Ｔｅｒ（６１０）が、1で出力することを示す。
Ｔｃｌ（６１０）は、要素パワーレベルＴｃｌの出力／非出力のビット設定である。Ｔｃｌ（６１０）が、1で出力することを示す。
【００５３】
図５（Ｂ）の強制記録パルス制御では、すべてのパワーレベルを出力することで、Ｐｗ１のパワーレベルの方形波の記録パルスを生成することが可能となる。方形波にすることで、一定のパワーレベルの期間が長くなり、ディスク回転数が高倍速になった場合でも、前方モニターフォトダイオード２０７（図１参照）で適切なパワーを、モニターすることが可能となる。
なお、本実施形態では、強制出力の有効期間はＥＦＭ信号期間としているが、有効期間は任意のチャネルクロック数期間、あるいは設定チャネルクロック数分または絶対時間で定義してもよい。
【００５４】
図６（Ａ）は、図５と同じ手段で異なるパワーレベルの方形波（記録パルス）を生成した例である。図６（Ｂ）の７０６〜７１１の設定によって、Ｐｗｂ（７０３）のパワーレベルの方形波の記録パルスを生成することが可能となる。
【００５５】
図７（Ａ）〜（Ｃ）は、本実施形態における第一例の記録パルスと出力電流設定の相関を示した図である。
図7（Ａ）は、ＤＶＤ＋Ｒにおける通常の記録パルスであり（図２（Ｂ）参照）、Ｔｃｌ，Ｔｅｒ，Ｔｗｂ,Ｔｗ１，Ｔｗ２の５つの電流レベルの和の組み合わせで、記録パルスを生成する場合である。
【００５６】
図７（Ｂ）は、強制記録パルス設定の第一例であり、一定の期間にＴｃｌ，Ｔｅｒ，Ｔｗｂ，Ｔｗ１，Ｔｗ２の５つの電流レベルの全ての出力和で、方形波の記録パルスを生成する場合である。
図７（Ｃ）は、強制記録パルス設定の第二例であり、Ｔｃｌ，Ｔｅｒ，Ｔｗｂだけを用いて方形波の記録パルスを生成する場合である。この二つの強制記録パルス期間のパワーレベルをサンプルしてレーザ発光効率を補正する。
【００５７】
図８（Ａ）〜（Ｃ）は、本実施形態における第二例の記録パルスと出力電流設定の相関を示した図である。
図８（Ａ）は、ＤＶＤ＋ＲＷにおける通常の記録パルスであり（図２（Ｃ）参照）、Ｔｃｌ，Ｔｅｒ，Ｔｗ１，Ｔｗ２の４つの電流レベルの和の組み合わせで、記録パルスを生成する場合である。
【００５８】
図８（Ｂ）は、強制記録パルス設定の第一例であり、一定の期間にＴｃｌ，Ｔｅｒ，Ｔｗ１，Ｔｗ２の４つの電流レベルの全ての出力和で、方形波の記録パルスを生成する場合である。
図８（Ｃ）は、強制記録パルス設定の第二例であり、Ｔｃｌ，Ｔｅｒ，Ｔｗ２だけを用いて方形波の記録パルスを生成する場合である。
【００５９】
図９（Ａ）は、ＤＶＤ＋Ｒにおける通常の場合のタイミングチャート、図９（Ｂ）は、強制記録パルス期間のパワーレベルを取得する際のタイミングチャートである。
ここでは、ＥＦＭ信号の１４Ｔ期間に、強制記録パルス（方形波）を発生させる設定を用いた（図９（Ｂ）参照）。
【００６０】
記録するパターンであるＥＦＭ信号８０１に１４Ｔが現れた場合、記録パルスＫＰ５が強制記録パルス制御されて、方形波が生成する。同時にサンプル信号８０３が立ち上がり、強制記録パルス期間をサンプルする。次に、強制記録パルス期間の終了でＡ／Ｄ変換器がＡＤ変換トリガ信号８０５にて起動し、サンプルレベル８０４をデジタルデータとして取り込むことができる。
【００６１】
なお、ＤＶＤ＋ＲＷの場合においても（図８参照）、ＤＶＤ＋Ｒと同様の処理を行えばよい。
また、記録パルス列の中で、１／１０００程度の割合で方形波を生成すればよいので、記録媒体を再生した場合でも、再生音や再生画像が影響を受けるといった実質的な影響は殆ど無い。
【００６２】
次に、レーザ発光レベルの低下により、前方モニタフォトダイオー２０７（図１参照）の出力が変化し、照射パワーを正しくモニターすることが不可能になる場合がある。かかる場合の対処手段を説明する。
図１０は、前方モニターフォトダイオード出力(ＦＳＰＤ)と、ＬＤドライバ駆動電流の相関図である。
９０１は記録開始時、９０２は任意の期間（時間）の記録動作後である。図１０から明らかなように、「傾き」が平行移動し出力が低下している。これをドリフトと呼ぶ。
【００６３】
前方モニターフォトダイオード２０７は、レーザ発光レベルを取得する目的でレーザ出力に比例して応答するものであり、９０２の状況下では「レーザ出力が低下したか」のように思える。
しかし、多くの場合で前方モニターフォトダイオード２０７は温度特性を持ち、温度変化によりレーザ出力との誤差を生じる場合がある。特に、９０２のようなドリフトは温度特性によるものが多く、実際のレーザ発光は低下していないと考えられる。
【００６４】
次に、図１１に、図１０とは異なる環境下での前方モニターフォトダイオード出力(ＦＳＰＤ)と、ＬＤドライバ駆動電流の相関図を示す。
１００１は記録開始時で、１００２は任意の期間の記録動作後である。
１００３では、前記のドリフト現象に加えて、前方モニタフォトダイオー２０７の出力特性である「傾き」が変化する現象が発生している。
【００６５】
「傾き」の変化は、実際のレーザ発光の低下によることが多いため、この状況下では駆動電流を補正し、レーザ出力を一定に保持するような補正を必要とする。ドリフトの分を差し引いて補正を実現するためには、少なくとも二点の前方モニターフォトダイオード出力を取得して「傾き」の変化を算出し、指標として補正をかける必要がある。
【００６６】
図１１を用いて傾き算出の手順を示すと、
(Mon3 - Mon4)/(Pw1 - Pwb) =const= (Mon1 - Mon2)/(Pw1 - Pwb)
となるように補正をかける。
補正に用いる指令値は、図３のＶＲ（４１６）から発生させる。ＶＲ（４１６）は、全てのＤＡＣ（４１０〜４１５）に作用するため、処理を簡略化することが可能である。
【００６７】
図１２に、本実施形態におけるレーザ効率補正のフローチャートを示す。
記録開始後カウントを初期化し（ステップＳ１１０１）、ハードウェアによるセクタの通過割り込み（ステップＳ１１０２）で、強制記録パルス設定Ａ（ステップＳ１１０３）を実施する。強制記録パルス設定Ａとは、図５（Ｃ）のハードウェアレジスタ設定で、図９（Ａ），（Ｂ）に示すように、１４Ｔを強制記録パルス設定のトリガとすることをいう。
【００６８】
再びセクタ通過割り込み（ステップＳ１１０４）で設定Ａのパワー発光レベル（例えば、図７（Ｂ）のレベル）を取得保管（ステップＳ１１０５）した後、強制記録パルス設定Ｂ （ステップＳ１１０６）を実施する。セクタ通過割り込み（ステップＳ１１０４）で設定Ａのパワー発光レベルを取得（ステップＳ１１０５）した後、強制記録パルス設定Ｂ（ステップＳ１１０６）を実施する。
【００６９】
再びセクタ通過割り込み（ステップＳ１１０７）で設定Ｂのパワー発光レベル（例えば、図７（Ｃ）のレベル）を取得保管し（ステップＳ１１０８）、カウントを加算し（ステップＳ１１０９）、カウント値が１００回になるまでステップＳ１１０２〜ステップＳ１１１０を繰り返す。カウントが１００回になったら（ステップＳ１１１０）、取得した設定Ａ，設定Ｂのそれぞれのパワーレベルを１００回で平均化する（ステップＳ１１１１）。
このように、設定Ａと設定Ｂの二種類のパワー発光レベルを取得保管した理由は、パワー発光レベルに差を持たせるようにするためである（図１１参照）。
【００７０】
目標値を取得していない場合は（ステップＳ１１１２：ＮＯ）、設定Ａ，設定Ｂの平均値と電流設定値からレーザ効率Ｋ０を計算し、保管する（ステップＳ１１１３）。
カウント初期化後、ステップＳ１１０２〜ステップＳ１１１０を繰り返し実施し、カウントが１００回になったらステップＳ１１１１で取得レベルを１００回で平均化する。
【００７１】
レーザ効率Ｋ０は取得済であるので（ステップＳ１１１２：ＹＥＳ）、取得レベルから傾きＫ０を算出し（ステップＳ１１１４）、Ｋ０≠Ｋの場合は（ステップＳ１１１５：ＹＥＳ））、ＶＲ（４１６）を補正する（ステップＳ１１１６）。この判定基準は、ある程度の幅を持たせても良い。
その後、カウントを初期化して（ステップＳ１１１７）、ステップＳ１１０２〜ステップＳ１１１７の処理を継続する。
本実施形態では、取得した発光レベルを１００セクタの平均としたが、装置の使用環境や部品精度により平均化回数は変更しても良い。
【図面の簡単な説明】
【００７２】
【図１】本発明の実施形態のブロック図である。
【図２】同実施形態における、記録パルスの例を説明する図であって、（Ａ）は記録するＥＦＭ信号であり、記録クロックの６倍の６Ｔマークを示す図、（Ｂ）は、ＤＶＤ＋Ｒに対して６Ｔマークを記録する場合の記録パルスを示す図、（Ｃ）は、ＤＶＤ+ＲＷに対して６Ｔマークを記録する場合の記録パルスを示す図である。
【図３】同実施形態における、記録パルス生成部及びパワー制御部のブロック図である。
【図４】（Ａ）は、同実施形態における、ストラテジ信号生成部が生成する記録パルスの波形図、（Ｂ）は、記録パルスの構成要素となるパワーレベルを分析した図である。
【図５】同実施形態における、記録パルスの例などを示す図であって、（Ａ）は、ストラテジメモリの設定通りに生成した記録パルスの波形図、（Ｂ）は、強制記録パルス設定部の制御により変更した記録パルスの波形図、（Ｃ）は、ハードウェアレジスタの設定を示す表である。
【図６】図５と同じ手段で異なる記録パルスを生成した例であって、（Ａ）は、記録パルスの波形図、（Ｂ）は、ハードウェアレジスタの設定を示す表である。
【図７】本実施形態におけるＤＶＤ＋Ｒ用の記録パルスと出力電流設定の相関を示した図であって、（Ａ）は、通常の記録パルスであり、５つの電流レベルの和の組み合わせで、記録パルスを生成する場合、（Ｂ）は、強制記録パルス設定の第一例で、５つの電流レベルの全ての出力和で、方形波の記録パルスを生成する場合、（Ｃ）は、強制記録パルス設定の第二例で、３つの電流レベルの和で、方形波の記録パルスを生成する場合である。
【図８】本実施形態におけるＤＶＤ＋ＲＷ用の記録パルスと出力電流設定の相関を示した図であって、（Ａ）は、通常の記録パルスであり、４つの電流レベルの和の組み合わせで、記録パルスを生成する場合、（Ｂ）は、強制記録パルス設定の第一例で、４つの電流レベルの全ての出力和で、方形波の記録パルスを生成する場合、（Ｃ）は、強制記録パルス設定の第二例で、３つの電流レベルの和で、方形波の記録パルスを生成する場合である。
【図９】同実施形態における、タイミングチャートであって、（Ａ）は、通常の場合のタイミングチャート、（Ｂ）は、強制記録パルス期間のパワーレベルを取得する際のタイミングチャートである。
【図１０】同実施形態において、レーザ発光効率が変化しない場合の前方モニターダイオード出力とレーザ駆動電流の関係を示す相関図である。
【図１１】同実施形態において、レーザ発光効率が変化する場合の前方モニターダイオード出力とレーザ駆動電流の関係を示す相関図である。
【図１２】同実施形態における、レーザ発光効率補正動作のフローチャートである。
【符号の説明】
【００７３】
２０１  光学系
２０２  アクチュエータ
２０３  スピンドルモータ
２０４  スレッジモータ
２０５  ＬＤドライバ
２０６  プリアンプ内蔵フォトダイオード集積回路（ＯＥＩＣ）
２０７  前方モニターフォトダイオード
２０８  光ディスクとディスクマウント部
２０８ａ  ディスク
２０９  マトリックスアンプ
２１０  フォーカス/トラック信号処理部
２１１  ウォブル信号処理部
２１２  アクチュエータ/モータドライバ
２１３  出力パワー処理部
２１４  イコライザ
２１６  ホストインターフエース
２１７  アドレスデコーダ
２１８  記録クロック発生部
２１９  記録パルス発生部
２２０  パワー制御部
２２１  スライサ
２２２  ＰＬＬ
２２３  デコーダ
２２４  ＤＲＡＭ
２２５  エンコーダ
２２６  ＥＦＭ生成部
２２７  ＭＰＵ
４０１  記録パターン認識部
４０２  ストラテジメモリ
４０３  強制記録パルス設定部
４０４  タイミング生成部
４０５  ストラテジ信号生成部
４０９  電流合成部
４１０〜４１５  ＤＡＣ０〜ＤＡＣ５
４１６  ＶＲ
４１７  電源
【図１】
2006065952.tif 000003
【図２】
2006065952.tif 000004
【図３】
2006065952.tif 000005
【図４】
2006065952.tif 000006
【図５】
2006065952.tif 000007
【図６】
2006065952.tif 000008
【図７】
2006065952.tif 000009
【図８】
2006065952.tif 000010
【図９】
2006065952.tif 000011
【図１０】
2006065952.tif 000012
【図１１】
2006065952.tif 000013
【図１２】
2006065952.tif 000014